(57)【要約】      （修正有）【課題】土踏まずの発育不良を改善し、又は、足で硬い地面を踏むときの足の過剰回内によって、土踏まずの崩れから来る機能性扁平足、及び乱れた下肢バイオメカニクスや下肢骨格の配列によって全身的な姿勢不良からの不快感及び痛みを緩和させる、機能性扁平足向け矯正用裸足靴を提供する。【解決手段】一対の靴ユニットを含み、該各靴ユニットは、付着層を有する靴本体１１と前記靴本体の先端に設けられる爪先部材１２とを含む靴部材１０と、第１貼付き層２２を有し、前記靴本体の底に固設され、足弓を回り込んで前記靴付着層に張り付く引上げバンド２１と、第２貼付き層３２を有し、前記靴本体に設置され、該靴本体の底及び足弓を回り込んで前記靴付着層に張り付く加圧バンド３１と、を備える。【選択図】図１
2019150575.tif 000002
【特許請求の範囲】
【請求項１】
一対の靴ユニットを含み、該各靴ユニットは、一側に位置する足弓部と、対向する他側に位置する足甲外側部と、内部に形成される着用空間と、頂部に形成され、該着用空間と連通する開口部と、外側に設けられ、該開口部と隣接する付着層を有する靴本体と、前記靴本体の先端に設けられ、前記着用空間と連通する五つの足指袋を有する爪先部材と、前記靴本体の底に設けられ、その間に隙間を有する靴底部と、を含む靴部材と、
先端が前記隙間において、前記足弓部に隣接するように前記靴本体の底に固設され、該靴本体の底から該足弓部を回り込んで、その後、斜め上に延伸して前記開口部に巻き付く引上げバンドと、前記靴本体に向かって前記引上げバンドの内側の末端に形成され、該引上げバンドを前記靴本体の付着層に張り付かせる第１貼付き層と、を含む足弓引上げ部材と、
先端が足甲外側部に隣接するように前記靴本体に固設され、前記隙間をくぐって該靴本体の底及び前記足弓部を回り込んで前記引上げバンドの先端を被い、その後、斜め上に延伸して前記開口部に巻き付く加圧バンドと、前記靴本体に向かって前記加圧バンドの内側の末端に形成される第２貼付き層と、を含む加圧部材と、を備えることを特徴とする、
機能性扁平足向け矯正用裸足靴。
【請求項２】
前記引上げバンドの表側に第１被覆層が形成され、前記加圧バンドが前記第２貼付き層を介して該引上げバンドの第１被覆層又は前記靴本体の付着層に貼り付けられ、該引上げバンド及び該加圧バンドは伸縮性を有することを特徴とする請求項１に記載の機能性扁平足向け矯正用裸足靴。
【請求項３】
前記加圧バンドの表側に第２被覆層が形成され、該加圧バンドが前記第２貼付き層を介して該第２被覆層に貼り付けられることを特徴とする請求項１に記載の機能性扁平足向け矯正用裸足靴。
【請求項４】
前記加圧バンドの表側に第２被覆層が形成され、該加圧バンドが前記第２貼付き層を介して該第２被覆層に貼り付けられることを特徴とする請求項２に記載の機能性扁平足向け矯正用裸足靴。
【請求項５】
前記第１貼付き層及び第２貼付き層が面ファスナーのフック面で構成され、前記付着層が面ファスナーのループ面で構成されることを特徴とする請求項１に記載の機能性扁平足向け矯正用裸足靴。
【請求項６】
前記第１貼付き層及び第２貼付き層が面ファスナーのフック面で構成され、前記付着層及び第１被覆層が面ファスナーのループ面で構成されることを特徴とする請求項２に記載の機能性扁平足向け矯正用裸足靴。
【請求項７】
前記第１貼付き層及び第２貼付き層が面ファスナーのフック面で構成され、前記付着層及び第２被覆層が面ファスナーのループ面で構成されることを特徴とする請求項３に記載の機能性扁平足向け矯正用裸足靴。
【請求項８】
前記第１貼付き層及び第２貼付き層が面ファスナーのフック面で構成され、前記付着層、第１被覆層及び第２被覆層が面ファスナーのループ面で構成されることを特徴とする請求項４に記載の機能性扁平足向け矯正用裸足靴。
【発明の詳細な説明】
【技術分野】
【０００１】
本発明は、機能性扁平足用の矯正装具に関し、特に土踏まずに引き上げ力を提供する、機能性扁平足向け矯正用裸足靴に関するものである。
【背景技術】
【０００２】
古代において人は、土や砂などの柔らかい地面を直接踏んでいたが、土や砂などの柔らかい地面を踏むと、柔らかい地面は足によって加えられる圧力で変形することで、人の足裏の形状に対応して体を支えると共に、土踏まずの成長を促している。しかし、このような柔らかい地面は、穴が開きやすく凸凹の状態になりやすいので、人が凹凸のある地面を歩くと転倒する恐れがある。故に、現代社会では、道路や地面を平らにするため、道路にアスファルトを敷いたり、家に床を敷いたりすることで、凹凸のない平坦且つ頑丈な地面にしているので、転倒の恐れはない。
【０００３】
しかしながら、現代社会では、人が硬い地面の上に立ったり歩いたりするとき、自らの体重を、硬い地面と接触している足裏部分によってのみ支えており、その土踏まずは如何なるものにも支えられていないので、足が過剰回内の状態になりやすく、それに加え、現代人は、厚底の靴を履いており、足指を完全に覆い包んでいるため、足が発育不良になると共に、足裏の筋肉、筋膜、腱又は靭帯などの軟組織が弱まったり、緩んだりしてしまう。更に、足の過剰回内且つ発育不良により、土踏まずのアーチ形状が崩れてしまい、機能性扁平足になり、土踏まずの弾力及び衝撃の吸収性能を失うことで、足が内側に傾いてしまう。
このような足の過剰回内により、足の骨格の配列（踵骨、舟状骨、距骨などを含む）が乱れ、土踏まずの内側縦のアーチ、横のアーチが崩れ、さらに、踝関節及び踝関節上方の距骨下関節変位、下肢（脛骨、大腿骨）内旋（ｉｎｔｅｒｎａｌ  ｒｏｔａｔｉｏｎ）が発生することで、外反膝（ｋｎｅｅ  ｖａｌｇｕｓ）を誘発し、Ｘ脚になる。また、大腿骨が内旋した場合には、股関節の大腿骨頭（ｆｅｍｏｒａｌ  ｈｅａｄ）が骨盤の寛骨臼（ａｃｅｔａｂｕｌａｒ）を後方へ押圧することで、骨盤が傾いてしまう。そして、傾いた骨盤は、代償性脊柱側弯症を誘発し、機能性脊柱側弯症になり、下肢及び傍脊柱筋軟組織の張力が不均一になる。更に、乱れた下肢バイオメカニクス及び骨格の配列（人の姿勢）によって、踵、膝関節、ふくらはぎが傷み、又、両足の長さの違い（機能性脚長差）によって、骨盤が回転し、機能性脊柱側弯症などの骨格関節の配列に問題を引き起こしてしまう。その上、部分的な筋肉軟組織機能の低下、骨格の関節の痛みや摩耗、ウェイトトレーニング時の危険性、代償動作による怪我を引き起こす虞があるので、足の過剰回内及び発育不良は、看過できない深刻な問題である。
【発明の概要】
【発明が解決しようとする課題】
【０００４】
本発明は、上記の課題に鑑みてなされたものであり、土踏まずの発育不良を改善し、又は、足で硬い地面を踏むときの足の過剰回内によって、土踏まずの崩れから来る機能性扁平足、及び乱れた下肢バイオメカニクスや下肢骨格の配列によって全身的な姿勢不良からの不快感及び痛みを緩和させる、機能性扁平足向け矯正用裸足靴を提供することを目的としている。
【課題を解決するための手段】
【０００５】
上記目的を達成するための本発明は、一対の靴ユニットを含み、該各靴ユニットは、一側に位置する足弓部と、対向する他側に位置する足甲外側部と、内部に形成される着用空間と、頂部に形成され、該着用空間と連通する開口部と、外側に設けられ、該開口部と隣接する付着層を有する靴本体と、前記靴本体の先端に設けられ、前記着用空間と連通する五つの足指袋を有する爪先部材と、前記靴本体の底に設けられ、その間に隙間を有する靴底部と、を含む靴部材と、先端が前記隙間において、前記足弓部に隣接するように前記靴本体の底に固設され、該靴本体の底から該足弓部を回り込んで、その後、斜め上に延伸して前記開口部に巻き付く引上げバンドと、前記靴本体に向かって前記引上げバンドの内側の末端に形成され、該引上げバンドを前記靴本体の付着層に張り付かせる第１貼付き層と、を含む足弓引上げ部材と、先端が足甲外側部に隣接するように前記靴本体に固設され、前記隙間をくぐって該靴本体の底及び前記足弓部を回り込んで前記引上げバンドの先端を被い、その後、斜め上に延伸して前記開口部に巻き付く加圧バンドと、前記靴本体に向かって前記加圧バンドの内側の末端に形成される第２貼付き層と、を含む加圧部材と、を備える。
【発明の効果】
【０００６】
上述した、本発明の足弓引上げ部材と加圧部材によれば、使用者が本発明の扁平足向け下肢矯正装具を下肢に装着すると、該足弓引上げ部材と加圧部材が、前記靴本体の足弓部を覆い包むと共に、引き上げ効果をもたらし、土踏まずの引き上げを助けることで、土踏まずのアーチ形状の崩れを防ぎ、又、該靴本体の爪先部材によって、それぞれの足指を自由に動かすことができることから、足を裸足のような状態にし、足回りの全ての筋肉を鍛えることで、健全な発育に繋がる。
このように、前記足弓引上げ部材と加圧部材の補助によって、足の過剰回内による土踏まずのアーチ形状の崩れを防ぐことができることから、下肢バイオメカニクスを向上させるので、筋肉や関節の痛みを緩和させることができる。
【図面の簡単な説明】
【０００７】
【図１】本発明の斜視図である。
【図２】本発明の底面図である。
【図３】本発明の左側面図である。
【図４】本発明の第１の実施例の平面図である。
【図５】本発明の第２の実施例の平面図である。
【図６】本発明の第３の実施例の斜視図である。
【発明を実施するための形態】
【０００８】
本発明の目的を達成するために採用された技術手段について、以下の図面及び好ましい実施形態に基づいて説明する。
【０００９】
図１〜図３は、本発明の扁平足向け下肢矯正装具の一つの好ましい実施例であり、本発明は、一対の靴ユニットを含み、該各靴ユニットは、靴部材１０と、足弓引上げ部材２０と加圧部材３０とを備えるものである。
【００１０】
図１、図２及び図４に示すように、前記靴部材１０は、靴本体１１と爪先部材１２を含み、そのうち、靴本体１１は、相対する足弓部１３と足甲外側部１４を有し、該足弓部１３は、該靴本体１１の一側に位置し、該足甲外側部１４は、該靴本体１１における、足弓部１３と対向する他側に位置する。図４に示すように、前記靴本体１１の内部に着用空間１１１が形成され、頂部に該着用空間１１１と接続する開口部１１２が形成され、外部に前記開口部１１２と隣接する付着層１１３が形成される。尚、前記付着層１１３は、面ファスナーのループ面で構成される。前記靴本体１１の先端に設けられる爪先部材１２は、前記着用空間１１１と連通する五つの足指袋１５を有し、該五つの足指袋１５は、足指を収容することができる。ここでの靴部材１０は靴底１６を含み、該靴底１６は、該靴本体１１の底に設けられ、該靴底１６と靴本体１１との間に隙間１６１を有する。
【００１１】
図１、図４及び図５に示すように、前記足弓引上げ部材２０は、前記靴部材１０上に設けられ、引上げバンド２１と第１貼付き層２２を含み、そのうち、引上げバンド２１は、先端が前記靴本体１１の底に前記足弓部１３に隣接するように固定され、該第１貼付き層２２は、前記靴本体１１に向かって前記引上げバンド２１の内側の末端に隣接するように形成される。前記引上げバンド２１は、前記靴本体１１の底から前記足弓部１３を回り込み、その後、斜め上に延伸して前記開口部に巻き付くと共に、前記第１貼付き層２２を介して前記靴本体１１の付着層１１３に張り付く。
引上げバンド２１の先端は、前記靴本体１１と靴底１６との間の隙間１６１に位置する。また、前記引上げバンド２１は、第１被覆層２３を有し、該第１被覆層２３は、該引上げバンド２１の表側に位置し、該引上げバンド２１は、伸縮性を有する材質である。尚、前記第１貼付き層２２は、面ファスナーのフック面で構成され、前記第１被覆層２３は、面ファスナーのループ面で構成される。
【００１２】
前記加圧部材３０は、前記靴部材１０上に設けられ、加圧バンド３１と第２貼付き層３２を含む。そのうち、加圧バンド３１は、先端が前記足甲外側部１４に隣接するよう前記靴本体１１に固定され、該第２貼付き層３２は、前記靴本体１１に向かって前記加圧バンド３１の内側の末端に隣接するように形成される。前記加圧バンド３１は、前記隙間１６１をくぐって、前記靴本体１１の底及び前記足弓部１３を回り込み、前記引上げバンド２１の先端を被うように斜め上に延伸して前記開口部１１２に巻き付くと共に、前記第２貼付き層３２を介して引上げバンド２１の第１被覆層２３又は、前記靴本体１１の付着層１１３に貼り付く。さらに、前記加圧バンド３１は、第２被覆層３３を有し、該第２被覆層３３は、該加圧バンド３１の表側に位置し、該加圧バンド３１は、前記第２貼付き層３２を介して前記靴本体１１の付着層１１３、前記引上げバンド２１の第１被覆層２３又は、該第２被覆層３３に貼り付く。尚、前記加圧バンド３１は、伸縮性を有する材質であり、前記第２貼付き層３２は、面ファスナーのフック面で構成され、前記第２被覆層３３は、面ファスナーのループ面で構成される。
【００１３】
図１、図４及び図５は、本発明の機能性扁平足向け矯正用裸足靴の一つの好ましい実施例の装着態様である。これによると、使用者はまず、前記引上げバンド２１及び加圧バンド３１を解き、足４０を前記開口部１１２へ通して前記靴本体１１の着用空間１１１に入れ、足４０の五つの足指をそれぞれ、活動自在に前記爪先部材１２の五つの足指袋１５に入り込ませ、足４０を該靴本体１１の内に正確に入れる。さらに、該引上げバンド２１を該靴本体１１と靴底１６との間の隙間１６１から引き出して、前記足弓部１３を回り込んで覆い包み、その後、斜め上に延伸して前記開口部１１２に巻き付ける。この構成によれば、前記引上げバンド２１の安定性を向上させるのを補助するために、該引上げバンド２１の第１貼付き層２２を前記第１被覆層２３に貼り付けて、該引上げバンド２１を該靴本体１１上に固定していることから、該足弓部１３に引き上げ力をもたらす。
【００１４】
図１、図５及び図６に示すように、前記加圧バンド３１は、前記足甲外側部１４側から前記靴本体１１と靴底１６との間の隙間１６１をくぐり、該加圧バンド３１の第２貼付き層３２が、前記引上げバンド２１の上に重なると、前記第１被覆層２３上に固定され、該第２貼付き層３２が、該靴本体１１の上に重なると、前記付着層１１３上に固定される。次に、前記加圧バンド３１は、前記足弓部１３を回り込んで再び覆い包み、その後、該加圧バンド３１を引き上げて、前記開口部１１２へ向かって延伸し、斜め上に沿って該開口部１１２に巻き付き、さらに該加圧バンド３１の末端が該第２貼付き層３２を介して固定される。つまり、前記加圧バンド３１の末端は、該靴本体１１の付着層１１３又は、該に引上げバンド２１の第１被覆層２３上に固定される。
この構成によれば、前記加圧バンド３１の安定性をより一層高めるために、該加圧バンド３１の第２貼付き層３２を該第２被覆層３３上に貼り付けて固定することにより、足弓部１３に引き上げ力をさらにもたらしている。このため、前記足弓部１３の更なる引き上げ効果を提供できる。
【００１５】
このように、使用者は、本発明の機能性扁平足向け矯正用裸足靴を着用することで、前記靴本体１１の先端に位置する爪先部材１２により、足指を自在に動かすことができるので、裸足感覚で足を発達させることができる。
【００１６】
上述したように、本発明の機能性扁平足向け矯正用裸足靴は、前記引上げバンド２１及び加圧バンド３１を介して、前記靴本体１１の足弓部１３を覆い包むと共に、引き上げ効果も得られることから、足４０の土踏まずの引き上げを補助するので、土踏まずの崩れを防ぐ。さらに、靴部材１０の爪先部材１２により、それぞれの足指を自在に動かすことができることから、裸足感覚で足を成長させられるので、足４０を健全に発達させることができると共に、該引上げバンド２１及び加圧バンド３１が補助することで、足４０の過剰回内による土踏まずの内側のアーチ形状の崩れや、下肢バイオメカニクスと骨格の配列の乱れを防ぐことができる。このため、筋肉及び関節の痛みの問題を緩和できるので、健康を増進させる目的を達成できる。
【００１７】
以上の説明は、本発明の好ましい実施形態に過ぎず、本発明に対して何ら限定を行うものではない。本発明について、比較的好ましい実施形態をもって上記のとおり開示したが、これは本発明を限定するものではなく、すべての当業者が、本発明の技術構想を逸脱しない範囲において、本発明の技術の本質に基づいて上記の実施形態に対して行ういかなる簡単な修正、変更及び修飾もすべて本発明の技術構想の範囲内にある。
【符号の説明】
【００１８】
１０  靴部材
１１  靴本体
１１１  着用空間
１１２  開口部
１１３  付着層
１２  爪先部材
１３  足弓部
１４  足甲外側部
１５  足指袋
１６  靴底
１６１  隙間
２０  足弓引上げ部材
２１  引上げバンド
２２  第１貼付き層
２３  第１被覆層
３０  加圧部材
３１  加圧バンド
３２  第２貼付き層
３３  第２被覆層
４０  足
【図１】
2019150575.tif 000003
【図２】
2019150575.tif 000004
【図３】
2019150575.tif 000005
【図４】
2019150575.tif 000006
【図５】
2019150575.tif 000007
【図６】
2019150575.tif 000008
【外国語明細書】
2019150575000001.pdf